(57)【要約】      （修正有）【課題】表面の凹凸がなく、清掃しやすい再帰反射性能を有したメタリック調の模様が組み合わされた車体掲示用ステッカーを提供する。【解決手段】車体掲示用ステッカー１１は、汎用のアルミ蒸着フイルム４のうち不用である蒸着膜３を適宜エッチング法によって除去し、蒸着部６と透明フイルム部８から成る基材７を作成し、基材７の透明フイルム部８の裏面（蒸着部６と同じ面）全体に可視情報９と再帰反射シート１を設け、再帰反射シートの裏面に接着剤を用いて車体に貼着する。【選択図】  図６
2005316343.tif 000002
【特許請求の範囲】
【請求項１】
蒸着部と透明フイルム部からなるシート状の基材と、該基材の裏面（蒸着部と同じ面）に張り合わされた再帰反射シートからなり、再帰反射性能があってメタリック調の模様が組み合わされた図柄を持つことを特徴とする車体掲示用ステッカー。
【請求項２】
蒸着部と透明フイルム部からなるシート状の基材と、該基材の裏面（蒸着部と同じ面）に張り合わされた再帰反射シートからなり、再帰反射性能があってメタリック調の模様が組み合わされた図柄を持つ車体掲示用ステッカ−において、
汎用のアルミ蒸着フイルムのシートに印刷などの方法によってレジスト部を設け、エッチング法によってレジスト部以外の蒸着膜を除去して、蒸着部と透明フイルム部から成る基材を作成し、該基材の透明フイルム部の裏面（蒸着部と同じ面）に所定の可視情報を印刷によって形成した後、該基材の裏面（蒸着部と同じ面）に再帰反射シ−トを透明な両面粘着テープによって張り合わせて製造することを特徴とする車体掲示用ステッカーの製造方法。
【発明の詳細な説明】
【技術分野】
【０００１】  タクシー、バスなどの商業車の車体に掲示される広告媒体用の車体掲示用ステッカーに関するものである。
【背景技術】
【０００２】  タクシー、バスなどの商業車の車体に掲示し広告媒体として利用する車体掲示用ステッカーは近年増加している。これらの車体掲示用ステッカーは、マーキングフイルムや再帰反射シートなどのシート状の基材に、印刷または切り張りなどによって可視情報を担持させて作られる。そして、再帰反射シートは、入射した光を光源の方向へ再帰反射させる性質によって遠方からも良く確認でき、車体掲示用ステッカーの夜間の視認性・訴求性を向上させるので、広告媒体の素材としても効果的な素材である。さらに、車体の後部にある番号標示板の両サイドの面に掲示されると、夜間時、前方を走行する車両との車間距離の確認が容易となるので、車両の追突を防止でき、安全用品としても有用である。【０００３】  最近、高級車に掲示される車体掲示用ステッカーは高級化を求められ、再帰反射シートとメタリック調の模様を組み合わせた図柄の車体掲示用ステッカーが要求されてきた。しかし、印刷方法によると高級感に溢れたメタリック調の模様にできず、蒸着あるいはメッキにより形成された金属膜によるメタリック調の模様が要求されてきた。しかし、蒸着あるいはメッキにより金属膜のメタリック調の模様を形成する加工方法は、毎葉方式であっては製造コストが高価なものとなるので、通常アルミ蒸着フイルムを利用してメタリック調の模様を形成するのが一般的な方法であった。
【発明の開示】
【発明が解決しようとする課題】
【０００４】  アルミ蒸着フイルムを利用して再帰反射性があってメタリック調の模様がある図柄の車体掲示用ステッカーを作ろうとすると、図１に示されるように、フイルム表面（蒸着膜に対応するフイルム面）に再帰反射シートを切り張りする方法をとらざるを得ず、再帰反射シートが厚みを持っているので、図２に示されるように、フイルムの表面が凹凸となり、平滑性に欠ける車体掲示用ステッカーとならざるを得ない。そのため、車体掲示用ステッカーの表面に可視情報などを綺麗に印刷ができないとともに、車体に掲示して使用されたとき洗車しにくいなどの課題が指摘されていた。また、図１に示されるような多くの再帰反射シートのカット片とメタリック調の模様を組み合わせた図柄の加工は、加工が面倒で難しい、加工時間が長くなる、加工ロスが多くなるなど製造上の課題もあり、それによって製造コストも高価になる等の問題があって、選定される図柄が限定されるという課題もあった。【０００５】  本発明は、このような事情に鑑みてなされたもので、平滑性に優れた車体掲示用ステッカ−であり、再帰反射性能があってメタリック調の模様が組み合わされた図柄の車体掲示用ステッカーを容易に、そして安価に提供するものである。【０００６】  本発明の他の目的は、選定される図柄が限定されることなく、再帰反射性能があってメタリック調の模様が組合わされた図柄の車体掲示用ステッカーを提供するものである。【０００７】  本発明の他の目的は、再帰反射性能があってメタリック調の模様が組み合わされた図柄の車体掲示用ステッカーを、選定される図柄が限定されることなく、容易に、安価に加工出来る製造方法を提供するものである。【０００８】  本発明のさらなる他の目的は、以下の説明から明らかになろう。
【課題を解決するための手段】
【０００９】  本発明の再帰反射性能があってメタリック調の模様が組み込まれた図柄の車体掲示用ステッカーは、アルミ蒸着フイルムをエッチング等の方法によって不用のアルミ蒸着層を除去し、蒸着部と透明フイルム部からなる基材を作り、該基材の裏面に反射シートを貼り合わせて構成される。このとき、車体掲示用ステッカーをフイルム表面（蒸着膜に対応するフイルム面）から見た場合、メタリック調の模様があって高級化を誇示できるとともに、該再帰反射シートの模様の部分に光を入射すると再帰反射性が示されるので、視認性・訴求性を向上させた車体掲示用ステッカーとすることができる。また、基材の透明フイルム部の裏面に可視情報などを印刷すれば、可視情報等の印刷物は基材のフイルムによって保護されて優れた耐久性を示すと共に、表面が平滑であるステッカーを形成する。さらに、車体の後部にある番号標示板の両サイドの面に掲示されると、夜間時、前方を走行する車両との車間距離の確認が容易となるので、車両の追突を防止でき、安全用品としても有用である。
【発明の効果】
【００１０】  本発明の再帰反射性能があってメタリック調の模様が組み込まれた図柄の車体掲示用ステッカーは、
１）平滑性に優れているので精微な図柄が容易に印刷できる、
２）汎用のアルミ蒸着フイルムを使用しているので安価である、
３）組み込まれた再帰反射シートの性能によって車両距離の確認が容易となり、夜間時、追突などの事故防止に有用である、
４）印刷された可視情報および再帰反射シートがフイルムで保護されているので耐久性に優れている、
などの優れた効果を発揮する。
【発明を実施するための最良の形態】
【００１１】
【実施例１】  以下、本発明を図面に示す実施例に基づいて説明する。【００１２】  図３〜図７は、本発明の再帰反射性能があってメタリック調の模様が組み込まれた図柄の車体掲示用ステッカー１１の一実施例を示している。【００１３】  本発明の車体掲示用ステッカー１１の加工は、先ず汎用のアルミ蒸着フイルム４をウエットエッチング法によって不用であるアルミ蒸着層３を取り除き、蒸着部６と透明フイルム部８が組み合わされた基材７を作成する。蒸着部６と透明フイルム部８からなる該基材７は、アルミ蒸着フイルム４のアルミ蒸着層３の上に、図３に示されるように、メタリック調の模様の仕様にしたがってレジスト部５をスクリーン印刷によって設けて規定時間乾燥・固化した後、ウエットエッチング法によってアルミ蒸着層３の不用部分を除去することによって作成される。即ち、レジスト部５が印刷されたアルミ蒸着フイルム４をエッチング液に規定時間浸漬すると、レジスト部５で保護されている部分のアルミ蒸着層３は除去されずに蒸着部６を形成し、レジスト部５で保護されていないアルミ蒸着層３は除去されて透明フイルム部８が形成される。その後、水洗によってエッチング液が除去され、乾燥してウエットエッチング工程は終了する。レジスト部５を構成するスクリーンインキは、エッチング液の種類によっても違ってくるが、特殊なものは必要としない。最も汎用なポリエステル系あるいはアクリル系のインキで十分であり、イソシアネ−ト硬化タイプであればベストである。エッチング液は、酸型、アルカリ型があるが、安全性や使い易さから考えてアルカリ型が適しており、この実施例においては、主成分が次亜塩素酸塩であるアルカリ系のエッチング液が使用された。また、この実施例では、ウエットエッチング法を採用したが、ドライエッチング法でも同様の効果が得られるであろう。【００１４】  透明フイルム部８の裏面（蒸着部６と同じ面）の一部には、図５に示されるように、可視情報９がスクリーン印刷などによって印刷される。次に、プリズム式再帰反射シート１が、図６に示されるように、基材７の裏面（蒸着部６と同じ面）に透明な両面粘着テ−プ１０で張り合わされ、本発明の車体掲示用ステッカ−１１が完成される。【００１５】  本発明の車体掲示用ステッカー１１は、図６、７で明らかなように、再帰反射シート１および印刷による可視情報９が均一なＰＥＴフイルムで被服されているので耐久性に優れており、その表面は平坦で光沢性に優れている特徴を備えている。また、蒸着部６の模様は、スクリーン印刷の精度で形成されるので、どんな複雑な模様からなる図柄でも、簡単に加工でき、メタリック調の模様の仕上がりは綺麗かつ精微である特徴を有する。【００１６】  また、図７に示されるような図柄の車体掲示用ステッカー１１は一つの例であり、他のどんな図柄の車体掲示用ステッカーでも良く、本実施例に限定されるものではないことは自明である。再帰反射シ−ト１の張り合わせも一回の工程で済むので手間も掛からず、加工ロスも最小に押さえられるので、加工費は安価である。また、この実施例では、プリズム式再帰反射シ−ト１を使用しているが、カプセル式再帰反射シートまたは封入式再帰反射シートであっても差し支えないことは無論のことである。
車体掲示用ステッカー１１は、再帰反射シ−ト１の裏面にある感圧接着剤（図示せず）を利用して、一般的には、車体の後部に掲示されて利用され、可視情報９および再帰反射シート１は、基材７の透明フイルム部８を通して透視される。
【産業上の利用可能性】
【００１７】  以上のように本発明は、再帰反射性能があってメタリック調の模様が組み込まれた図柄の車体掲示用ステッカ−１１を容易に、安価に提供でき、高級化された車体掲示用ステッカー１１として広く利用され有用である。
【図面の簡単な説明】
【００１８】
【図１】再帰反射性能があってメタリック調の模様が組み合わされた図柄の従来型車体掲示用ステッカ−の断面図である。
【図２】再帰反射性能があってメタリック調の模様が組み合わされた図柄の従来型車体掲示用ステッカ−の平面図である。
【図３】アルミ蒸着フイルムにレジスト部を設けたことを示す断面図である。
【図４】図３に示されるフイルムの蒸着膜をウエットエッチングによって除去し蒸着部と透明フイルム部からなる基材を作成したことを示す断面図である。
【図５】図４に示されるの基材の透明フイルム部に印刷された可視情報を設けたことを示す断面図である。
【図６】再帰反射性能があってメタリック調の模様が組み合わされた図柄からなる本発明の車体掲示用ステッカ−を示す断面図である。
【図７】再帰反射性能があってメタリック調の模様が組み合わされた図柄からなる本発明の車体掲示用ステッカ−を示す平面図である。
【符号の説明】
【００１９】    １。プリズム式再帰反射シ−ト
２。透明フイルム
３。アルミ蒸着膜
４。アルミ蒸着フイルム
５。レジスト部
６。蒸着部
７。基材
８。透明フイルム部
９。可視情報
１０。両面粘着テ−プ
１１。本発明の車体掲示用ステッカー
【図１】
2005316343.tif 000003
【図２】
2005316343.tif 000004
【図３】
2005316343.tif 000005
【図４】
2005316343.tif 000006
【図５】
2005316343.tif 000007
【図６】
2005316343.tif 000008
【図７】
2005316343.tif 000009